(57)【特許請求の範囲】
【請求項１】
遊技盤の前面に取着された円弧状のレールによって取囲まれて形成されたほぼ円形状の遊技域と、該遊技域の上部を囲う部分のレール面に接する勢いで打ち込まれる遊技球をはね返す球当て部材と、該球当て部材に衝突して下方へはね返された遊技球を受けて誘導する釘列と、遊技者側から見て遊技域内の右側下部に装着され遊技球の入賞が遊技域内に配置された他の入賞装置の開放に係る権利発生の条件となる始動口と、を備えたパチンコ機において、
前記球当て部材と前記始動口とのほぼ中間部位に、遊技域の右側レール面に沿って遊技球誘導機能及び光電装飾機能を兼有する誘導ユニットが装着され、
前記誘導ユニットは、前記レール面に沿う縦向きの湾曲形状であって遊技盤の前面に取着されるベースと、このベースの前側に縦向きに組付けられる通路部材と、この通路部材の内部上下方向に形成され上端に開口する球入口から遊技域の中心側に向けて横向きに開口する下端の球出口を連絡する正面視略Ｊ字状の流路と、ベースの裏側に縦向きに組付けられるレンズ部材と、前側に複数のランプを配置して前記レンズ部材の裏側に整合して取着される回路基板とで構成し、
さらに前記誘導ユニットは、遊技盤の遊技域内に装着された状態で前記流路の球入口を前記釘列の下方に臨ませると共に、該流路の球出口を前記始動口の適宜上方に臨ませるようになし、
そうして前記球当て部材に衝突して落下した遊技球を前記釘列で受けてから前記流路の球入口に導き入れ、流路内を通して球出口から前記始動口に向けて誘導するようにしたことを特徴とするパチンコ機。
【発明の詳細な説明】
【０００１】
【発明の属する技術分野】
この発明は、パチンコ機に関する。
【０００２】
【従来の技術】
特定入賞口，権利発生領域，始動口，可変入賞口等を備えたパチンコ機では、遊技者によって操作される遊技球の打込み強さは、通常時には遊技域の中央部の特定入賞口を狙った打込み強さに調整され、特定入賞口に入賞した入賞球が権利発生領域を通過して権利が発生すると、遊技球の打込み強さは遊技域の右端の始動口を狙った打込み強さに切換えられる。
【０００３】
【発明が解決しようとする課題】
本発明は、発生した権利を有効にする始動口を狙って打込まれた遊打球が始動口に落入し易いようにし、また、始動口の上流での遊技球の転落経路設定構造を単純化することを課題とするものである。
【０００４】
【課題を解決するための手段】
遊技盤の前面に取着された円弧状のレールによって取囲まれて形成されたほぼ円形状の遊技域と、該遊技域の上部を囲う部分のレール面に接する勢いで打ち込まれる遊技球をはね返す球当て部材と、該球当て部材に衝突して下方へはね返された遊技球を受けて誘導する釘列と、遊技者側から見て遊技域内の右側下部に装着され遊技球の入賞が遊技域内に配置された他の入賞装置の開放に係る権利発生の条件となる始動口と、を備えたパチンコ機において、
前記球当て部材と前記始動口とのほぼ中間部位に、遊技域の右側レール面に沿って遊技球誘導機能及び光電装飾機能を兼有する誘導ユニットが装着され、
前記誘導ユニットは、前記レール面に沿う縦向きの湾曲形状であって遊技盤の前面に取着されるベースと、このベースの前側に縦向きに組付けられる通路部材と、この通路部材の内部上下方向に形成され上端に開口する球入口から遊技域の中心側に向けて横向きに開口する下端の球出口を連絡する正面視略Ｊ字状の流路と、ベースの裏側に縦向きに組付けられるレンズ部材と、前側に複数のランプを配置して前記レンズ部材の裏側に整合して取着される回路基板とで構成し、
さらに前記誘導ユニットは、遊技盤の遊技域内に装着された状態で前記流路の球入口を前記釘列の下方に臨ませると共に、該流路の球出口を前記始動口の適宜上方に臨ませるようになし、
そうして前記球当て部材に衝突して落下した遊技球を前記釘列で受けてから前記流路の球入口に導き入れ、流路内を通して球出口から前記始動口に向けて誘導するようにしたパチンコ機を提供する。
【０００５】
請求項１の発明では、球当て部材に衝突した遊技球がこの球当て部材によって下方へはね返され、はね返された遊技球が釘列を下って誘導ユニットの内部流路に導入されると、その遊技球が内部流路によって誘導されて始動口に導入され、権利発生領域への入賞によって発生した権利が有効となる。
また、誘導ユニットには球当て部材によってはね返された遊技球を始動口へ誘導する誘導機能に加え、遊技域の右端を装飾する装飾機能が付加され、遊技域の右端付近での部品構成が簡略化される。
【０００６】
【発明の実施の形態】
本発明の実施の形態を図１〜図４にしたがって説明する。パチンコ機の遊技盤１の前面には円弧面状に湾曲したレール面によって取囲まれて遊技球が通行するほぼ円形状の遊技域２が形成され、この遊技域２の中央部には図柄を変動表示して図柄の変動表示後図柄を特定する図柄表示部３ａを有する可変表示装置３が設置されている。
【０００７】
可変表示装置３の若干下方には遊技域２に打込された遊技球が落入したときに可変表示装置３を作動させる図柄作動口５を有する図柄作動装置４が設置されている。
【０００８】
図柄作動装置４の下方には開閉制御可能な特定入賞口７と、この特定入賞口７に落入した入賞球が通過したときに特別な権利が発生する権利発生領域とを有する特定入賞装置６が設置されている。
【０００９】
遊技域２の右下部で可変表示装置３の斜め下方には開閉制御可能な可変入賞口９を有する可変入賞装置８が設置されている。
【００１０】
可変入賞装置８の上部には遊技球が落入したときに可変入賞口９を規定時間開放して発生した権利を有効にする始動口１０が開設されている。
【００１１】
可変入賞装置８において、左右１対の可変入賞口９および始動口１０は、図６に示すように２等辺三角形の３つの頂角の関係位置にそれぞれ配設された状態で可変入賞装置８の上部に集約して設置され、始動口１０が開口された始動口ユニットは、左右の可変入賞口９間にわたって開設された可変入賞領域の中央部に喰い込んだ状態で配置されている。
【００１２】
従って、可変入賞装置８がコンパクト化するとともに、始動口ユニットの外壁面に衝突して可変入賞口９に落入する遊技球はその衝撃力が減殺された状態ではね返って可変入賞口９に導入されるので、可変入賞口９を開閉する開閉機構の破損や損傷を防止することができる。
【００１３】
遊技域２に打込まれた遊技球が図柄作動口５に落入すると、可変表示装置３の図柄表示部３ａが図柄の変動表示を開始して所定時間経過後図柄の変動表示を停止し、図柄を特定する。
【００１４】
可変表示装置３が図柄の変動表示停止時に特定した図柄が当り図柄となった場合には特定入賞装置６の特定入賞口７が開放され、この特定入賞口７の開放中に特定入賞口７に落入した入賞球が特定入賞装置６の権利発生領域を通過すると、権利が発生する。
【００１５】
権利が発生するまでの間は遊技球は図柄作動口５および特定入賞口７への入賞を狙った打込み強さで遊技域２の中央部付近へ打込まれ、権利が発生した後は遊技球はその打込み強さが始動口１０への入賞を狙った打込み強さに切換えられて遊技域２の右端へ打込まれる。
【００１６】
権利発生後遊技球が始動口１０に落入すると、発生した権利が有効となって可変入賞口９が９．８秒間開放される。但し、可変入賞口９の開放中に遊技球が可変入賞口９に１０個落入すると、その時点で可変入賞口９が閉鎖される。
【００１７】
また、権利発生中に特定入賞口７に落入した入賞球が再度権利発生領域を通過すると、その時点で権利が消滅する。
【００１８】
遊技域２の右上端部には始動口１０への入賞を狙って遊技域２の右端へ打込まれた遊技球が衝突したときに遊技球を一定方向へはね返す球当て部材１２が設置され、この球当て部材１２の内端面には球当て部材１２に衝突した遊技球が一定角度で下方へはね返されるように傾斜した衝突面１２ａが形成されている。
【００１９】
遊技盤１には、遊技域２の左端縁付近のレール面および右端縁付近のレール面に沿ってそれぞれ設置され、遊技球を通行させて所定位置へ誘導する誘導機能と、遊技域２を灯光によって装飾する装飾機能とを兼有する左右１対の誘導ユニット１５が取付けられている。
【００２０】
右側の誘導ユニット１５は、遊技域２の右端へ打込まれて球当て部材１２に衝突し、球当て部材１２によってはね返されて誘導ユニット１５に向って転落した遊技球を受入れて始動口１０へ誘導する目的で球当て部材１２の下流に設置されている。
【００２１】
誘導ユニット１５は、遊技盤１に取付けられた合成樹脂製の誘導部材１６と、この誘導部材１６にねじ止めされて誘導部材１６の後側に設置された回路基板１７とを備えている。
【００２２】
誘導ユニット１５の誘導部材１６は、遊技盤１にねじ止めされたベース１８と、このベース１８に回路基板１７とともにねじ止めされたレンズ壁１９と、ベース１８の前面の上部に解離可能に結合された通路壁２０と、ベース１８の前面の下部に解離可能に結合されたランプカバー２１とによって形成されている。
【００２３】
誘導部材１６のベース１８には、遊技盤面１ａに重ね合わされ、上部に複数個の上窓部１８ｆが開設されて下部に下窓部１８ｇが開設された後壁板１８ａと、この後壁板１８ａの外側端縁に連接されて遊技域２の右端縁に沿って円弧状に湾曲した側壁板１８ｂと、後壁板１８ａの前面の中央部付近および側壁板１８ｂの内側面の下部に連接されてほぼく形状に曲折された隔壁板１８ｃと、後壁板１８ａの後面に連接されて後方へ突出された基板取付け棒１８ｄおよび位置決め棒１８ｅとが形成されている。
【００２４】
誘導部材１６のレンズ壁１９にはベース１８の後壁板１８ａの後面に重ね合わされた基片１９ａと、この基片１９ａの前面に突設されてベース１８の上窓部１８ｆ内に嵌め込まれた複数個の上レンズ片１９ｂと、基片１９ａの下部に連接されて前方へ突出され、ベース１８の側壁板１８ｂと隔壁板１８ｃとの間に嵌込まれた下レンズ片１９ｃと、隣合う両上レンズ片１９ｂ間で基片１９ａの後面に連接されて後方へ突出され、上下方向へ配列された複数個の仕切り片１９ｄと、基片１９ａの上端および下端付近にそれぞれ連接されて後方へ突出され、ベース１８の基板取付け棒１８ｄが挿入された上下１対の基板受け片１９ｅとが形成されている。
【００２５】
誘導部材１６の通路壁２０にはベース１８の側壁板１８ｂの内側面に重ね合わされた外壁板２０ａと、この外壁板２０ａの内方に外壁板２０ａと並行に設置された内壁板２０ｂと、外壁板２０ａおよび内壁板２０ｂの前端縁に連接されてベース１８の後壁板１８ａの前方に後壁板１８ａと並行に設置された前壁板２０ｃとが形成され、外壁板２０ａおよび内壁板２０ｂの後端縁にはベース１８の上部に凹設された２対の上係止孔１８ｈに係合して通路壁２０をベース１８に解離可能に係止する各１対の係止爪２０ｄが連接されている。
【００２６】
誘導部材１６のランプカバー２１にはベース１８の隔壁板１８ｃの内側面に重ね合わされた外壁板２１ａと、この外壁板２１ａの内方に設置された内壁板２１ｂと、外壁板２１ａおよび内壁板２１ｂの下端縁に連接された下壁板２１ｃと、外壁板２１ａ、内壁板２１ｂ、下壁板２１ｃの各前端縁に連接された前壁板２１ｄとが形成され、外壁板２１ａおよび下壁板２１ｃの後端縁には、ベース１８の後壁板１８ａに貫設された下係止孔１８ｉに係合してランプカバー２１をベース１８に解離可能に係止する係止爪２１ｅがそれぞれ連接されている。
【００２７】
回路基板１７はねじ３０によってレンズ壁１９とともにベース１８の基板取付け棒１８ｄに結合されている。
【００２８】
回路基板１７の上部にはレンズ壁１９の各上レンズ片１９ｂの後側に設置されて上下方向へ配列され、個別に点灯制御される複数個の表示ＬＥＤ（表示部材）２２が取付けられている。
【００２９】
回路基板１７の下部にはレンズ壁１９の下レンズ片１９ｃおよびランプカバー２１によってカバーされ、個別に点灯制御される３個の表示ランプ（表示部材）２３が取付けられている。
【００３０】
誘導ユニット１５には、ベース１８の後壁板１８ａと、レンズ壁１９の上レンズ片１９ｂと、通路壁２０とによって取囲まれ、球当て部材１２によってはね返されて誘導ユニット１５に向って転落する遊技球を受入れて流下させ、始動口１０に向って放出する内部流路２４が誘導部材１６の上部と中央部とにわたって遊技域２の右端縁のレール面に沿って形成されている。
【００３１】
内部流路２４の上端には誘導部材１６の上端付近に開口されて遊技球を受入れる球入口２４ａが形成され、内部流路２４の下端には誘導部材１６の中央部付近の内端に開口されて内部流路２４を通行した遊技球を始動口１０へ向けて誘導部材１６外へ放出する球出口２４ｂが形成されている。
【００３２】
遊技域２の右端の上部で、球当て部材１２と内部流路２４の球入口２４ａとの間には、球当て部材１２の衝突面１２ａに衝突して下方へはね返された遊技球を内部流路２４の球入口２４ａへ誘導する上球流路２５が、誘導部材１６の通路壁２０の内壁板２０ｂの斜め上方の延長方向に配列された釘列２７によって仕切られた状態で形成されている。
【００３３】
遊技域２の右端の上下方向中央部付近で、内部流路２４の球出口２４ｂと始動口１０との間には内部流路２４を通行して球出口２４ｂから放出された遊技球を始動口１０へ誘導する下球流路２６が、球出口２４ｂの下縁と始動口１０の外端縁との間に配列された釘列２８，２９によって仕切られた状態で形成されている。
【００３４】
遊技域２の右端へ打込まれた遊技球は、球当て部材１２の衝突面１２ａに衝突して球当て部材１２によって球勢が減殺された一定のはね返り状態で下方へはね返され、誘導ユニット１５に向って転落して上球流路２５を通って内部流路２４の球入口２４ａに導入され、内部流路２４を通行して球出口２４ｂを通り抜け、下球流路２６を通って始動口１０に導入される。
【００３５】
上記実施例によれば、遊技域２の右端へ打込まれた遊技球が球当て部材１２に衝突して一定方向へはね返され、誘導ユニット１５の内部流路２４に導入されてこの内部流路２４によって誘導されて始動口１０へ導入されるので、始動口１０を遊技域２中のどの位置に設けても球当て部材１２を狙って打込まれた遊技球を始動口１０に向って転落させる始動口入賞流路を形成することができ、権利発生後に安定した確率で遊技球を始動口１０に入賞させて権利を消化することができるとともに、遊技域２中での始動口１０の配置態様を多様化することができる。
【００３６】
また、球当て部材１２と始動口１０との間での遊技球の転落経路を障害物によって設定するときの球転落経路設定構造を簡略化することができる。
【００３７】
さらに、誘導ユニット１５が遊技球誘導機能と遊技域装飾機能とを兼有しているので、遊技域２の右端付近での部品構成を簡略化することができるとともに、遊技域２の右端付近での球転落経路設定機構をコンパクト化することができるので、遊技域２の中央部に設置される可変表示装置３を大型化することができる。
【００３８】
次に、図６に示す本発明の第２実施例について説明すると、本例では遊技盤１Ａの遊技域２Ａには図柄表示部３ａＡを備えた可変表示装置３Ａと、図柄作動口５Ａを有する図柄作動装置４Ａと、特定入賞口７Ａおよび権利発生領域を有する特定入賞装置６Ａと、可変入賞口９Ａおよび始動口１０Ａを有する可変入賞装置８Ａとが設置されている。
【００３９】
遊技域２Ａの右端に打込まれて球当て部材１２Ａの衝突面１２ａＡに衝突し、球当て部材１２Ａによってはね返された遊技球を始動口１０Ａへ誘導する目的で球当て部材１２Ａの下流に設置された誘導ユニット１５Ａにおいて、遊技域２Ａの右上部には、球当て部材１２Ａによってはね返された遊技球が導入されるように球当て部材１２Ａの衝突面１２ａＡの下方に開口された球入口３２を有し、この球入口３２に導入された遊技球が遊技盤１Ａの裏面側へ誘導されて通り抜けるように形成された上通過器３１が設置されている。
【００４０】
遊技域２Ａの右部の上下方向中央部付近には、始動口１０Ａの直上に開口された球出口３４を有し、遊技盤１Ａの裏面側から導入された遊技球が前方へ誘導されて遊技域２Ａへ転動するように形成された下通過器３３が設置されている。
【００４１】
上通過器３１と下通過器３３との間には、上端が上通過器３１に接続されて下端が下通過器３３に接続された状態で遊技盤１Ａの裏面側に配設され、上通過器３１の球入口３２に落入した遊技球を遊技盤１Ａの裏面側を通行させて下通過器３３へ誘導する誘導部材１６Ａが設置されている。
【００４２】
誘導ユニット１５Ａには、球当て部材１２Ａによってはね返された遊技球を始動口１０Ａへ誘導する内部流路２４Ａが、上通過器３１内と誘導部材１６Ａ内と下通過器３３内とにわたって形成されている。
【００４３】
上通過器３１の上方には球当て部材１２Ａによってはね返された遊技球が上通過器３１の球入口３２に導入されるように釘列３５によって仕切られた上球流路２５Ａが形成され、下通過器３３の下方には球出口３４を通り抜けた遊技球を全て始動口１０Ａに落入させる下球流路２６Ａが形成されている。
【００４４】
【発明の効果】
本発明によれば、遊技域へ打込まれて球当て部材に衝突した遊技球が一定方向へはね返されて誘導ユニットに向って転落し、誘導ユニットの内部流路に導入された遊技球がこの内部流路によって誘導されて始動口に導入されるので、始動口を遊技域中のどの位置に設けても球当て部材を狙って打込まれた遊技球を始動口に向けて転落させる始動口入賞流路を形成することができ、権利発生後に安定した確率で遊技球を始動口に入賞させて権利を消化することができるとともに、遊技域中での始動口の配置態様を多様化することができる。
【００４５】
また、球当て部材と始動口との間での遊技球の転落経路を障害物によって設定するときの球転落経路設定構造を簡略化することができる。
【００４６】
また、誘導ユニットが遊技球誘導機能と光電装飾機能とを兼有しているので、遊技域の右端付近に設置される部品構成を簡略化およびコンパクト化することができるとともに、遊技域の右端付近での球転落経路設定構造をコンパクト化することができるので、遊技域の中央部に設置されるセンタ役物を大型化することができる。
【図面の簡単な説明】
【図１】  本発明の第１実施例を示す遊技盤の正面図である。
【図２】  誘導ユニット付近の正面図である。
【図３】  回路基板を取外した状態を示す誘導ユニットの側面図である。
【図４】  誘導ユニットの分解斜視図である。
【図５】  図２のＸ−Ｘ線拡大断面図である。
【図６】  可変入賞装置の正面図である。
【図７】  本発明の第２実施例を示す遊技盤の要部の正面図である。
【符号の説明】
１  …遊技盤
２  …遊技域
８  …他の入賞装置
１０…始動口
１２…球当て部材
１５…誘導ユニット
１７…回路基板
１８…ベース
１９…レンズ部材
２０…通路部材
２２…ランプ
２４…流路
２４ａ…球入口
２４ｂ…球出口
２７…釘列
【図１】
0004062452.tif 000002
【図２】
0004062452.tif 000003
【図３】
0004062452.tif 000004
【図４】
0004062452.tif 000005
【図５】
0004062452.tif 000006
【図６】
0004062452.tif 000007
【図７】
0004062452.tif 000008